(57)【要約】      （修正有）【課題】内枠体を成形したブロックからスムーズに引き出すことができる型枠装置を提供する。【解決手段】外枠体１４と、同外枠体内に配置する内枠体１５と、同内枠体を外枠体内に出し入れする出し入れ部８とを具備して、直線状の貫通中空孔を有するブロックを成形する型枠装置であって、内枠体１５は、外枠体１４内において、型枠組み立て状態である拡径姿勢と、成形したブロックから離脱させるための縮径姿勢とに姿勢変更自在となすと共に、出し入れ部８は、内枠体１５中に貫通させて同内枠体１５を外枠体１４から出し入れ自在に支持するアーム体１０を具備し、拡径姿勢の内枠体１５は、外枠体１４に支持されて、同内枠体１５の上面成形部が上記アーム体１０から一定間隔だけ浮上する一方、縮径姿勢の内枠体１５は、浮上していた一定間隔だけ自重で降下してアーム体１０に上面成形部が当接支持されるようにした。【選択図】図１
2010017911.tif 000002
【特許請求の範囲】
【請求項１】
外枠体と、同外枠体内に配置する内枠体と、同内枠体を外枠体内に出し入れする出し入れ部とを具備して、直線状の貫通中空孔を有するブロックを成形する型枠装置であって、
内枠体は、外枠体内において、型枠組み立て状態である拡径姿勢と、成形したブロックから離脱させるための縮径姿勢とに姿勢変更自在となすと共に、
出し入れ部は、内枠体中に貫通させて同内枠体を外枠体から出し入れ自在に支持するアーム体を具備し、
拡径姿勢の内枠体は、外枠体に支持されて、同内枠体の上面成形部が上記アーム体から一定間隔だけ浮上する一方、縮径姿勢の内枠体は、浮上していた一定間隔だけ自重で降下してアーム体に上面成形部が当接支持されるようにしたことを特徴とする型枠装置。
【請求項２】
出し入れ部には、内枠体の上面成形部を架設状に当接支持する左右一対のアーム体を具備し、両アームの先端部間に先端側連結体を横架すると共に、両アームの基端部間に基端側連結体を横架して枠状に形成し、
先端側連結体は、内枠体の引き出し時に同内枠体の一端に係合する一端側係合片となす一方、基端側連結体は、内枠体の押し込み時に同内枠体の他端に係合する他端側係合片となしたことを特徴とする請求項１記載の型枠装置。
【請求項３】
外枠体を支持している支持部に、伸縮スライド部を介して出し入れ部をスライド自在に取り付けると共に、伸縮スライド部は、伸長方向に伸延する複数のスライド体を重合状態に配置し、隣接するスライド体同士の略半部が重合状態となるように伸長させて、支持部に伸縮スライド部を介して出し入れ部を張り出し状態に片持ち支持させるようにしたことを特徴とする請求項１又は２記載の型枠装置。
【発明の詳細な説明】
【技術分野】
【０００１】
本発明は、長手方向に直線状に貫通する中空孔を有するブロック、例えば、側溝ブロック、暗渠ブロック、ボックスカルバート等のコンクリート製のブロックを成形する型枠装置に関する。
【背景技術】
【０００２】
従来、型枠装置の一形態として、外枠体と、同外枠体内に配置する内枠体と、同内枠体を外枠体内に出し入れする出し入れ部とを具備して、直線状の貫通中空孔を有するブロックを成形するものがある（例えば、特許文献１参照）。
【０００３】
そして、かかる型枠装置は、成形したブロックの脱型時には内枠体を縮径させた後、倍力機構を利用して内枠体を押し上げながら外枠体から引き出すことにより、成形したブロックから離脱させるようにしている。
【特許文献１】実公平６−４４６４６号公報
【発明の開示】
【発明が解決しようとする課題】
【０００４】
上記した型枠装置では、成形したブロックの脱型に際して、倍力機構を利用して内枠体を押し上げながら引き出して、成形したブロックから離脱さるようにしているために、成形したブロックの内面が損傷されることや、内枠体がスムーズに離脱されないという不具合がある。
【課題を解決するための手段】
【０００５】
そこで、本発明では、外枠体と、同外枠体内に配置する内枠体と、同内枠体を外枠体内に出し入れする出し入れ部とを具備して、直線状の貫通中空孔を有するブロックを成形する型枠装置であって、内枠体は、外枠体内において、型枠組み立て状態である拡径姿勢と、成形したブロックから離脱させるための縮径姿勢とに姿勢変更自在となすと共に、出し入れ部は、内枠体中に貫通させて同内枠体を外枠体から出し入れ自在に支持するアーム体を具備し、拡径姿勢の内枠体は、外枠体に支持されて、同内枠体の上面成形部が上記アーム体から一定間隔だけ浮上する一方、縮径姿勢の内枠体は、浮上していた一定間隔だけ自重で降下してアーム体に上面成形部が当接支持されるようにしたことを特徴とする型枠装置を提供するものである。
【０００６】
また、本発明は、次の構成にも特徴を有する。
【０００７】
（１）出し入れ部には、内枠体の上面成形部を架設状に当接支持する左右一対のアーム体を具備し、両アームの先端部間に先端側連結体を横架すると共に、両アームの基端部間に基端側連結体を横架して枠状に形成し、先端側連結体は、内枠体の引き出し時に同内枠体の一端に係合する一端側係合片となす一方、基端側連結体は、内枠体の押し込み時に同内枠体の他端に係合する他端側係合片となしたこと。
【０００８】
（２）外枠体を支持している支持部に、伸縮スライド部を介して出し入れ部をスライド自在に取り付けると共に、伸縮スライド部は、伸長方向に伸延する複数のスライド体を重合状態に配置し、隣接するスライド体同士の略半部が重合状態となるように伸長させて、支持部に伸縮スライド部を介して出し入れ部を張り出し状態に片持ち支持させるようにしたこと。
【発明の効果】
【０００９】
（１）請求項１の本発明では、外枠体と、同外枠体内に配置する内枠体と、同内枠体を外枠体内に出し入れする出し入れ部とを具備して、直線状の貫通中空孔を有するブロックを成形する型枠装置であって、内枠体は、外枠体内において、型枠組み立て状態である拡径姿勢と、成形したブロックから離脱させるための縮径姿勢とに姿勢変更自在となすと共に、出し入れ部は、内枠体中に貫通させて同内枠体を外枠体から出し入れ自在に支持するアーム体を具備し、拡径姿勢の内枠体は、外枠体に支持されて、同内枠体の上面成形部が上記アーム体から一定間隔だけ浮上する一方、縮径姿勢の内枠体は、浮上していた一定間隔だけ自重で降下してアーム体に上面成形部が当接支持されるようにしている。
【００１０】
このように、成形したブロックの脱型時には、縮径姿勢の内枠体が浮上していた一定間隔だけ自重で降下して成形ブロックから離脱し、アーム体に上面成形部が当接支持されるため、出し入れ部により内枠体を成形ブロック及び外枠体からスムーズに引き出すことができる。従って、その後は外枠体を型開きするだけであるため、成形ブロックを傷つけることなく簡単に取り出すことができる。また、引き出し部により内枠体を引き出す際に、大きな作用力を要しないため倍力機構を設ける必要性がなくなり、型枠装置自体の構造を小型化かつ簡易化することができる。
【００１１】
（２）請求項２記載の本発明では、出し入れ部には、内枠体の上面成形部を架設状に当接支持する左右一対のアーム体を具備し、両アーム体の先端部間に先端側連結体を横架すると共に、両アーム体の基端部間に基端側連結体を横架して枠状に形成し、先端側連結体は、内枠体の引き出し時に同内枠体の一端に係合する一端側係合片となす一方、基端側連結体は、内枠体の押し込み時に同内枠体の他端に係合する他端側係合片となしている。
【００１２】
このように、左右一対のアーム体と先端側連結体と基端側連結体とを枠状に枠組み形成しているため、片持ち状のアーム体の剛性を確保することができると共に、先端側連結体と基端側連結体がそれぞれ内枠体と係合する係合片としても機能して、同内枠体を確実に出し入れすることができる。
【００１３】
（３）請求項３記載の本発明では、外枠体を支持している支持部に、伸縮スライド部を介して出し入れ部をスライド自在に取り付けると共に、伸縮スライド部は、伸長方向に伸延する複数のスライド体を重合状態に配置し、隣接するスライド体同士の略半部が重合状態となるように伸長させて、支持部に伸縮スライド部を介して出し入れ部を張り出し状態に片持ち支持させるようにしている。
【００１４】
このように、伸長方向に伸延する複数のスライド体同士の略半部が重合状態となるように伸長させることができるため、成形するブロックの長さに応じて適宜長尺の伸縮スライド部を簡単に形成することができる。従って、内枠体の出し入れ作業を良好に確保することができて、効率よく成形ブロックの脱型を行うことができる。
【発明を実施するための最良の形態】
【００１５】
以下に本発明の最良の実施形態を図面を参照しながら説明する。
【００１６】
図１は、本発明に係る型枠装置Ａの側面説明図、図２は同型枠装置Ａの背面説明図である。
【００１７】
型枠装置Ａは、図１及び図２に示すように、支持部１上に前後方向に伸延する型枠本体２を載設して構成しており、直線状の貫通中空孔を有するブロック（図示せず）を製品として成形可能としている。
【００１８】
支持部１は、左右方向に伸延する複数（本実施形態では３個）の枕体３を前後方向に間隔を開けて配置し、これら枕体３の上に前後方向に伸延する左右一対のスライドレール体４,４を載設して構成している。
【００１９】
スライドレール体４,４間には伸縮スライド部５を配設しており、同伸縮スライド部５は、図６及び図７にも示すように、伸長方向（本実施形態では前後方向）に伸延させて背面視枠状に形成した複数（本実施形態では２本）のスライド体６,７を入れ子状に重合状態に配置し、隣接するスライドレール体４,４とその内方に配置した基端側のスライド体６の略半部同士が重合状態となるように伸長させ、そして、基端側のスライド体６とその内方に配置した先端側のスライド体７の略半部同士が重合状態となるように伸長させて、支持部１に伸縮スライド部５を介して出し入れ部８を張り出し状態に片持ち支持させるようにしている。４ａ,７ａは、それぞれガイドローラである。
【００２０】
出し入れ部８は、図５にも示すように、前記先端側のスライド体７の先端部（後端部）に支柱９を立設して、同支柱９から前方へ向けて左右一対のアーム体１０,１０を略水平に伸延させ、両アーム体１０,１０の先端面間に横長四角形板状の先端側連結体１１を横架すると共に、両アーム体１０,１０の基端部間に断面Ｌ字状の基端側連結体１２を横架して枠状に形成し、先端側連結体１１は、後述する内枠体１５の引き出し時に同内枠体１５の一端に係合する一端側係合片となす一方、基端側連結体１２は、内枠体１５の押し込み時に同内枠体１５の他端に係合する他端側係合片となしている。１３は支柱９の後面上部に設けた把持部であり、同把持部１３を作業者が把持して、出し入れ部８を伸縮スライド部５を介して前後方向にスライド移動させて、後述する外枠体１４内に内枠体１５を人力にて出し入れ自在となしている。
【００２１】
型枠本体２は、上面開口の外枠体１４と中子としての内枠体１５と前後一対の鏡面成形体１６,１６と開口部形成体１７とから形成している。
【００２２】
そして、外枠体１４は、倒立状態に成形されるブロックの上端面を成形する上端面成形片である基底部片１４ａの左右側縁部に、支点１４ｂ,１４ｂを中心として、左右外側面成形片１４ｃ,１４ｃを直立状態と外側方への傾斜状態とに開閉自在となして、脱型時には型開き可能となしている。
【００２３】
鏡面成形体１６には、図５に示すように、倒立状態に成形されるブロックの中空孔と同形状の開口内周縁部１６ａを設けており、前後に対向させて鏡面成形体１６,１６を配置して、両鏡面成形体１６,１６の開口内周縁部１６ａ,１６ａ間に前後方向に伸延する筒状の内枠体１５を貫通状態に架設することにより、内枠体１５を中子として設置して、同内枠体１５により中空孔を成形するようにしている。そして、鏡面成形体１６は、前記基底部片１４ａの前後端部に、支点１６ｂ,１６ｂを中心として、鏡面成形体１６,１６を直立状態と外側方への傾斜状態とに開閉自在となして、脱型時には内枠体１５を引き抜いた後に型開き可能となしている。この際、内枠体１５の下面中途部は開口部形成体１７の凹条上面により支持されるようにしている。
【００２４】
内枠体１５は、図４に示すように、上面成形部としての、すなわち本実施形態では倒立状態に成形されるブロックの中空孔底面を成形する底面成形片である支持片１５ａと、中空孔の左右側面を成形する左右一対の側面成形片である拡縮径片１５ｂ,１５ｂと、両拡縮径片１５ｂ,１５ｂに作用する作用片１５ｃを具備している。
【００２５】
そして、支持片１５ａは前後方向に伸延する板状に形成して、同支持片１５ａの左右側縁部に拡縮支点部１５ｄ,１５ｄを介して拡縮径片１５ｂ,１５ｂの基端縁部（上端縁部）を連結している。また、拡縮径片１５ｂ,１５ｂは前後方向に伸延する板状に形成して、両拡縮径片１５ｂ,１５ｂの先端縁部（下端縁部）間に、前後方向に伸延する帯状に形成した作用片１５ｃを進退自在に介在させている。１８は両拡縮径片１５ｂ,１５ｂの中途部間に介設した拡縮連結体、１９は拡縮連結体１８に連動連設した拡縮作動ロッド、図１に示す２０は拡縮作動ロッドの後端に連設した拡縮操作体であり、同拡縮操作体２０を回動操作することにより、両拡縮径片１５ｂ,１５ｂを拡縮径操作することができるようにしている。２１,２２は作用片固定具であり、これら作用片固定具２１,２２の基端部は鏡面成形体１６,１６の下部に枢支部２３,２４を介して枢支する一方、これら作用片固定具２１,２２の先端部は作用片１５ｃの前・後端部に突設した固定用突片２５,２６に係脱自在に係止している。
【００２６】
ここで、拡縮径片１５ｂ,１５ｂの先端縁部（下端縁部）間に作用片１５ｃを介在させた状態が、拡縮径片１５ｂ,１５ｂの拡径状態であり、鏡面成形体１６,１６の開口内周縁部１６ａ,１６ａに前後端部が当接した型枠組立状態である。この際、作用片固定具２１,２２の先端部は作用片１５ｃの固定用突片２５,２６に係止している。また、拡縮径片１５ｂ,１５ｂの先端縁部（下端縁部）間から、作用片１５ｃを上方へスライドさせて退避させた状態、かつ、拡縮径片１５ｂ,１５ｂの先端縁部同士が接近した状態が、拡縮径片１５ｂ,１５ｂの縮径状態であり、鏡面成形体１６,１６の開口内周縁部１６ａ,１６ａから前後端部が離隔した型枠解体状態である。この際、作用片固定具２１,２２の先端部は作用片１５ｃの固定用突片２５,２６から係止解除している。
【００２７】
支持片１５ａの下面には背面視Ｔ字状の懸架体２７を前後方向に間隔を開けて複数垂設して、これら懸架体２７を介して前記した左右一対のアーム体１０,１０間に支持片１５ａを懸架している。そして、内枠体１５の引き出し時に、一端側係合片である先端側連結体１１が最前部の懸架体２７に当接して係合すると共に、内枠体１５の押し込み時に、他端側係合片である基端側連結体１２が最後部の懸架体２７に当接して係合するようにしている。従って、内枠体１５は、前後方向の動きは上記連結体１１,１２により規制され、かつ、左右方向の動きは懸架体２７を介して左右一対のアーム体１０,１０により規制されるが、上下方向の動きは自由となる。
【００２８】
そして、拡縮径片１５ｂ,１５ｂの拡径状態では、内枠体１５は前後に対向する鏡面成形体１６,１６の開口内周縁部１６ａ,１６ａ間に支持されると共に、左右一対のアーム体１０,１０から上方へ一定間隔ｔだけ浮上するようにしている（図４（ａ）参照）。具体的には、懸架体２７の左右側部２７ａ,２７ａの下面がアーム体１０,１０の上面から一定間隔（例えば、２ｍｍ）ｔだけ上方へ離隔するようにしている。
【００２９】
また、拡縮径片１５ｂ,１５ｂの縮径状態では、内枠体１５は浮上していた一定間隔ｔだけ自重で下方へ降下し、左右一対のアーム体１０,１０に支持片１５ａが当接支持されて、内枠体１５がアーム体１０,１０にぶら下がり状態に支持されるようにしている。具体的には、懸架体２７の左右側部２７ａ,２７ａの下面が一定間隔（例えば、２ｍｍ）ｔだけ降下して、アーム体１０,１０の上面に接触するようにしている。この際、支持片１５ａと左右一対の拡縮径片１５ｂ,１５ｂの表面は、ブロックの中空孔の内周面から一定間隔（例えば、約２ｍｍ）ｔだけ離隔している。従って、内枠体１５をブロックからスムーズに引き抜いて離脱させることができる。
【００３０】
このように、本実施形態の型枠装置Ａでは、中子としての内枠体１５を自重で落下させるだけの簡易な構成で、成形したブロックから内枠体１５を容易に引き抜いて離脱させることができるため、安価に型枠装置Ａを製造することができると共に、同型枠装置Ａにより能率良くブロックを成形及び脱型することができる。
【図面の簡単な説明】
【００３１】
【図１】本発明に係る型枠装置の側面説明図。
【図２】同型枠装置Ａの背面説明図。
【図３】鏡面成形体の背面図。
【図４】（ａ）内枠体の拡径状態の説明図、（ｂ）内枠体の縮径状態の説明図。
【図５】（ａ）出し入れ部の平面説明図、（ｂ）出し入れ部の側面説明図。
【図６】（ａ）伸縮スライド部の伸長状態の平面説明図、（ｂ）伸縮スライド部の短縮状態の平面説明図、（ｃ）（ｂ）のI−I線断面説明図。
【図７】図６（ｂ）のII−II線断面説明図。
【符号の説明】
【００３２】
Ａ  型枠装置
１  支持部
２  型枠本体
５  伸縮スライド部
８  出し入れ部
１０  アーム体
１４  外枠体
１５  内枠体
【図１】
2010017911.tif 000003
【図２】
2010017911.tif 000004
【図３】
2010017911.tif 000005
【図４】
2010017911.tif 000006
【図５】
2010017911.tif 000007
【図６】
2010017911.tif 000008
【図７】
2010017911.tif 000009